(57)【要約】【課題】来訪者からの呼び出し中または来訪者との通話中に、画面の視認性を良好にするインターホン装置を提供すること。【解決手段】カメラを有する子機で撮像し送信されたモニタ画像、及び子機との通信を開始するための通信開始信号を受信し又は所定の信号を送受信する通信手段１１１と、モニタ画像と所定の操作ボタンの画像とを合成して合成画像を生成する画像合成手段１１３と、通信手段１１１が通信開始信号を受信した場合には、モニタ画像を表示することを決定し、通信手段１１１が通信開始信号を受信しない場合には、合成画像を表示することを決定する表示画像決定手段１１２と、合成画像又はモニタ画像のうち、表示画像決定手段１１２が表示することを決定した画像を１の画面に表示するディスプレイ１１４とを備えて構成する。【選択図】　図１
2004064685.tif 000002
【特許請求の範囲】
【請求項１】
カメラを有する子機で撮像し送信されたモニタ画像、及び前記子機との通信を開始するための通信開始信号を受信し又は所定の信号を送受信する通信手段と、前記モニタ画像と所定の操作ボタンの画像とを合成して合成画像を生成する画像合成手段と、前記通信手段が前記通信開始信号を受信した場合には、前記モニタ画像を表示することを決定し、前記通信手段が前記通信開始信号を受信しない場合には、前記合成画像を表示することを決定する表示画像決定手段と、前記合成画像又は前記モニタ画像を表示する表示手段とを備えたことを特徴とするインターホン装置。
【請求項２】
前記表示画像決定手段は、前記通信手段が前記通信開始信号に応答するための信号を送信した場合、前記合成画像を表示することを決定することを特徴とする請求項１に記載のインターホン装置。
【請求項３】
前記通信手段が前記通信を終了するための通信終了信号を受信するまで、前記表示手段は、前記モニタ画像を１の画面に表示していることを特徴とする請求項１に記載のインターホン装置。
【請求項４】
前記表示画像決定手段は、前記通信開始信号を受信した場合、所定の解錠ボタンの画像と前記モニタ画像とを表示することを決定することを特徴とする請求項１に記載のインターホン装置。
【請求項５】
前記合成画像を表示するための画像切替え信号を外部から受信する手段を備え、前記表示画像決定手段は、前記画像切替え信号を受信した場合、前記合成画像を表示することを決定することを特徴とする請求項１に記載のインターホン装置。
【請求項６】
前記通信開始信号を受信した時点から所定時間である切替時間を計測する手段を備え、前記表示画像決定手段は、前記切替時間経過後に前記合成画像を表示することを決定することを特徴とする請求項１に記載のインターホン装置。
【請求項７】
前記切替時間の情報を外部の装置から入力とする手段を備えたことを特徴とする請求項６に記載のインターホン装置。
【発明の詳細な説明】
【０００１】
【発明の属する技術分野】
本発明は、住宅、マンション等の建築物に設置され、戸外の来訪者の画像を表示して通話をするためのインターホン装置に関するものである。
【０００２】
【従来の技術】
近年、室内にいる利用者の利便性を十分に配慮したインターホン装置の表示画面が求められるようになってきた。
従来、戸外の来訪者の画像を撮像するインターホン装置としては、例えば、特開平７−２２２１４０号公報に開示されたものが知られており、液晶画面のコントラスト調整を行い、複数の視野角から自己に適した視野角を選択するための複数のスイッチを設けることにより、自己に適したスイッチを選択すると１回の操作で自己に最適な画像を得ていた。また、従来のインターホン装置は、図５に示すように、タッチパネル等の入力装置を有する画面であって、呼び出し中に玄関器のカメラで撮像したモニタ画像と所定の操作ボタンの画像とを１の画面に表示することで操作時の利便性を高めており、室内にいる利用者は来訪者の画像を確認し、来訪者が不審者であれば入り口の鍵を解錠しないこともできる。
【０００３】
【発明が解決しようとする課題】
しかしながら、呼び出し中には、室内にいる利用者が表示画面の付近にいるとは限らず、表示画面は、操作の利便性を高めても画面が小さくなり見ずらく視認性が悪いものであった。単に視認性を高めるなら、大きい画面を有するディスプレイを採用すれば良い事になるが、コストの面で厳しくなる。
本発明は、このような従来の課題を解決するためになされたもので、来訪者からの呼び出し中または来訪者との通話中に、画面の視認性を良好にするインターホン装置を提供することを目的とするものである。
【０００４】
【課題を解決するための手段】
本発明のインターホン装置は、カメラを有する子機で撮像し送信されたモニタ画像、及び前記子機との通信を開始するための通信開始信号を受信し又は所定の信号を送受信する通信手段と、前記モニタ画像と所定の操作ボタンの画像とを合成して合成画像を生成する画像合成手段と、前記通信手段が前記通信開始信号を受信した場合には、前記モニタ画像を表示することを決定し、前記通信手段が前記通信開始信号を受信しない場合には、前記合成画像を表示することを決定する表示画像決定手段と、前記合成画像又は前記モニタ画像を表示する表示手段とを備えた構成を有している。この構成により、来訪者からの呼び出し中または来訪者との通話中に、合成画像からモニタ画像を表示手段の画面全体に切替えて表示するため、画面の視認性を良好にすることができる。
【０００５】
また、本発明のインターホン装置は、カメラを有する子機で撮像し送信されたモニタ画像、及び前記子機との通信を開始するための通信開始信号を受信し又は所定の信号を送受信する通信手段と、前記モニタ画像と所定の操作ボタンの画像とを合成して合成画像を生成する画像合成手段と、前記通信手段が前記通信開始信号を受信した場合には、前記モニタ画像を表示することを決定し、前記通信手段が前記通信開始信号を受信しない場合には、前記合成画像を表示することを決定する表示画像決定手段と、前記合成画像又は前記モニタ画像を表示する表示手段とを備え、さらに前記表示画像決定手段は、前記通信手段が前記通信開始信号に応答するための信号を送信した場合、前記合成画像を表示することを決定する構成を有している。この構成により、通信開始信号の応答後に画面をモニタ画像から合成画像に戻して１の表示手段に表示するため、画面を効率的に利用することができる。
【０００６】
また、本発明のインターホン装置は、カメラを有する子機で撮像し送信されたモニタ画像、及び前記子機との通信を開始するための通信開始信号を受信し又は所定の信号を送受信する通信手段と、前記モニタ画像と所定の操作ボタンの画像とを合成して合成画像を生成する画像合成手段と、前記通信手段が前記通信開始信号を受信した場合には、前記モニタ画像を表示することを決定し、前記通信手段が前記通信開始信号を受信しない場合には、前記合成画像を表示することを決定する表示画像決定手段と、前記合成画像又は前記モニタ画像を表示する表示手段とを備え、さらに前記通信手段が前記通信を終了するための通信終了信号を受信するまで、前記表示手段は、前記モニタ画像を１の画面に表示している構成を有している。この構成により、通信終了後に画面をモニタ画像から合成画像に戻して１の表示手段に表示するため、画面を効率的に利用することができる。
【０００７】
また、本発明のインターホン装置は、カメラを有する子機で撮像し送信されたモニタ画像、及び前記子機との通信を開始するための通信開始信号を受信し又は所定の信号を送受信する通信手段と、前記モニタ画像と所定の操作ボタンの画像とを合成して合成画像を生成する画像合成手段と、前記通信手段が前記通信開始信号を受信した場合には、前記モニタ画像を表示することを決定し、前記通信手段が前記通信開始信号を受信しない場合には、前記合成画像を表示することを決定する表示画像決定手段と、前記合成画像又は前記モニタ画像を表示する表示手段とを備え、さらに前記表示画像決定手段は、前記通信開始信号を受信した場合、所定の解錠ボタンの画像と前記モニタ画像とを表示することを決定する構成を有している。この構成により、来訪者からの呼び出し中または来訪者との通話中に、所定の解錠ボタンの画像とモニタ画像とを表示するため、画面の視認性を良好にするとともに、操作性を高めることができる。
【０００８】
また、本発明のインターホン装置は、カメラを有する子機で撮像し送信されたモニタ画像、及び前記子機との通信を開始するための通信開始信号を受信し又は所定の信号を送受信する通信手段と、前記モニタ画像と所定の操作ボタンの画像とを合成して合成画像を生成する画像合成手段と、前記通信手段が前記通信開始信号を受信した場合には、前記モニタ画像を表示することを決定し、前記通信手段が前記通信開始信号を受信しない場合には、前記合成画像を表示することを決定する表示画像決定手段と、前記合成画像又は前記モニタ画像を表示する表示手段と、前記合成画像を表示するための画像切替え信号を外部から受信する手段とを備え、前記表示画像決定手段は、前記画像切替え信号を受信した場合、前記合成画像を表示することを決定する構成を有している。この構成により、利用者の操作に応じて画面をモニタ画像から合成画像に戻して表示手段に表示するため、操作の利便性を高めることができる。
【０００９】
また、本発明のインターホン装置は、カメラを有する子機で撮像し送信されたモニタ画像、及び前記子機との通信を開始するための通信開始信号を受信し又は所定の信号を送受信する通信手段と、前記モニタ画像と所定の操作ボタンの画像とを合成して合成画像を生成する画像合成手段と、前記通信手段が前記通信開始信号を受信した場合には、前記モニタ画像を表示することを決定し、前記通信手段が前記通信開始信号を受信しない場合には、前記合成画像を表示することを決定する表示画像決定手段と、前記合成画像又は前記モニタ画像を表示する表示手段と、前記通信開始信号を受信した時点から所定時間である切替時間を計測する手段とを備え、前記表示画像決定手段は、前記切替時間経過後に前記合成画像を表示することを決定する構成を有している。この構成により、通信開始信号の受信時となる、室内にいる利用者の呼び出しに応じなくても、画面をモニタ画像から合成画像に戻して表示手段に表示するため、利便性を高めることができる。
【００１０】
また、本発明のインターホン装置は、カメラを有する子機で撮像し送信されたモニタ画像、及び前記子機との通信を開始するための通信開始信号を受信し又は所定の信号を送受信する通信手段と、前記モニタ画像と所定の操作ボタンの画像とを合成して合成画像を生成する画像合成手段と、前記通信手段が前記通信開始信号を受信した場合には、前記モニタ画像を表示することを決定し、前記通信手段が前記通信開始信号を受信しない場合には、前記合成画像を表示することを決定する表示画像決定手段と、前記合成画像又は前記モニタ画像を表示する表示手段と、前記通信開始信号を受信した時点から所定時間である切替時間を計測する手段とを備え、前記表示画像決定手段は、前記切替時間経過後に前記合成画像を表示することを決定し、さらに前記切替時間の情報を外部の装置から入力とする手段を備えた構成を有している。この構成により、手動の操作で切替時間が調整されるため、利便性をさらに高めることができる。
【００１１】
【発明の実施の形態】
以下、本発明の実施の形態について、図面を用いて説明する。
（第１の実施の形態）
図１は、本発明の第１の実施の形態のインターホン装置のブロック構成を示す図である。本発明の第１の実施の形態のインターホン装置１００は、戸外の画像などを表示し、入り口の鍵を解錠する室内親機１１０及び戸外の来訪者の画像を撮像する子機である玄関器１２０によって構成される。なお、インターホン装置１００は、マンションなどの集合住宅に用いてもよい。
また、室内親機１１０は、モニタ画像を受信し所定の信号を通信する通信手段１１１、合成画像またはモニタ画像を表示することを決定する表示画像決定手段１１２、合成画像を生成する画像合成手段１１３、画像を１の画面に表示するディスプレイ１１４、及び玄関器１２０との通話を制御する通話制御手段１１５によって構成される。また、火災感知などを制御するセンサ制御手段１３１及びセンサが発報した場合に警報音を制御する警報制御手段１３２を含めて構成してもよい。室内親機１１０は、住宅の室内やマンションの管理室などに設置される。玄関器１２０は、来訪者の画像を撮像するカメラ１２１及び来訪者との通話を行うための通話子機１２２によって構成される。玄関器１２０は、住宅の玄関先やマンションの出入口などに設置される。
【００１２】
通信手段１１１は、撮像して生成されたモニタ画像であって、玄関器１２０によって送信されたモニタ画像、及び室内にいる利用者を呼び出すときの信号であって、玄関器１２０との通信を開始するための通信開始信号を受信し、又は所定の信号を送受信するようになっている。
【００１３】
また、通信手段１１１は、玄関器１２０によって送信されたモニタ画像を受信し、受信されたモニタ画像を表示画像決定手段１１２に出力するようになっている。また、玄関器１２０によって送信された通信開始信号を受信し、受信された通信開始信号を表示画像決定手段１１２及び通話制御手段１１５に出力するようになっている。
【００１４】
また、通信手段１１１は、通話制御手段１１５によって出力された通信開始信号に応答するための信号である通信開始応答信号を玄関器１２０に送信するようになっている。
【００１５】
また、玄関器１２０が通信を終了した場合には、通信手段１１１は、通信を終了するための通信終了信号であって、玄関器１２０によって送信された通信終了信号を受信し、受信された通信終了信号を表示画像決定手段１１２及び通話制御手段１１５に出力する。なお、不示図の通話親機等が通信を終了した場合には、通話制御手段１１５によって出力された通信終了信号が通信手段１１１に入力され、通信手段１１１は、入力された通信終了信号を表示画像決定手段１１２に出力及び玄関器１２０に送信してもよい。
【００１６】
表示画像決定手段１１２は、通信手段１１１によって出力された通信開始信号が入力された場合には、モニタ画像を表示することを決定するようになっている。
【００１７】
また、表示画像決定手段１１２には、通信手段１１１によって出力されたモニタ画像が入力され、表示画像決定手段１１２は、モニタ画像を表示することを決定した場合には、入力されたモニタ画像をディスプレイ１１４に出力するようになっている。さらに、表示画像決定手段１１２は、モニタ画像を表示することを決定した場合、解錠ボタンを表示するための情報である解錠ボタン情報を画像合成手段１１３に出力するようになってもよい。
【００１８】
また、表示画像決定手段１１２は、通話制御手段１１５によって出力された通信開始応答信号が入力された場合、合成画像を表示することを決定するようになっている。表示画像決定手段１１２は、通信手段１１１によって出力された通信終了信号が入力された場合、合成画像を表示することを決定するようになってもよい。
【００１９】
また、表示画像決定手段１１２は、合成画像を表示することを決定した場合には、入力されたモニタ画像を画像合成手段１１３に出力するようになっている。
【００２０】
画像合成手段１１３には、表示画像決定手段１１２によって出力されたモニタ画像が入力され、画像合成手段１１３は、入力されたモニタ画像と所定の操作ボタンの画像とを合成して合成画像を生成し、生成された合成画像をディスプレイ１１４に出力するようになっている。
【００２１】
また、画像合成手段１１３は、モニタ画像と解錠ボタン情報とが入力されたときは、入力されたモニタ画像と所定の解錠ボタンの画像とを合成して合成画像を生成し、生成された合成画像をディスプレイ１１４に出力するようになってもよい。
【００２２】
ディスプレイ１１４は、合成画像又はモニタ画像のうち、表示画像決定手段１１２が表示することを決定した画像を１の画面に表示するようになっている。
【００２３】
また、ディスプレイ１１４には、画像合成手段１１３によって出力された合成画像が入力され、ディスプレイ１１４は、入力された合成画像を１の画面に表示するようになっている。また、ディスプレイ１１４には、表示画像決定手段１１２によって出力されたモニタ画像が入力され、ディスプレイ１１４は、入力されたモニタ画像を１の画面に大きく表示するようになっている。
【００２４】
通話制御手段１１５は、所定の信号を送受する手段であり、通信手段１１１によって出力された通信開始信号が入力され、通話制御手段１１５は、入力された通信開始信号を不示図の通話親機等に送信するようになっている。
【００２５】
また、通話制御手段１１５は、通話親機等によって送信された通信開始信号に応答するための通信開始応答信号を受信し、受信された通信開始応答信号を通信手段１１１及び表示画像決定手段１１２に出力するようになっている。
【００２６】
また、玄関器１２０が通信を終了したときに、通話制御手段１１５には、通信手段１１１によって出力された通信終了信号が入力され、通話制御手段１１５は、入力された通信終了信号を通話親機等に送信する。なお、通話親機等が通信を終了した場合には、通話親機等によって送信された通信終了信号が通話制御手段１１５に受信され、通話制御手段１１５は、受信された通信終了信号を通信手段１１１に出力してもよい。
【００２７】
カメラ１２１は、来訪者の画像を撮像し得られたモニタ画像を室内親機１１０に送信するようになっている。
【００２８】
通話子機１２２は、来訪者の呼び出しに応じて通信を開始するための通信開始信号を室内親機１１０に送信、又は室内親機１１０からの所定の信号を受信するようになっている。また、通話子機１２２は、室内親機１１０を介して通話親機と通信するようになっている。利用者は、通話子機１２２と通話親機等とを用いて通話する。
【００２９】
以下、図２を用いてインターホン装置１００の動作を説明する。
図２は、タッチパネル等の入力装置を有する画面であって、インターホン装置１００の表示画面を示す図である。図２（ａ）は、ディスプレイ１１４が合成画像を表示する通常画面表示２１を示す図である。図２（ｂ）は、ディスプレイ１１４がモニタ画像を表示する大画面表示２８を示す図である。大画面表示２８には、カメラ１２１によって撮像し得られた画像が表示される。
【００３０】
画像表示領域２２は、カメラ１２１によって撮像し得られた画像を表示する領域である。非表示領域２３は、通常画面表示２１から大画面表示２８に切替える大画面表示ボタン２４、入り口の鍵を解錠するエントランス解錠ボタン２５、玄関器１２０からの着信時に操作する受話音量ボタン２６、及び受話音量を調節する受話音量切替ボタン２７などを表示する。
【００３１】
まず、通信開始信号が室内親機１１０に受信された場合には、表示画像決定手段１１２によって合成画像からモニタ画像を表示することが決定され、ディスプレイ１１４に表示される画像が通常画面表示２１から大画面表示２８に切り替わる。室内にいる利用者は、来訪者からの呼び出し中に大画面表示２８で来訪者を確認することができる。
【００３２】
次に、通信開始応答信号または通信終了信号が室内親機１１０に受信された場合には、表示画像決定手段１１２によってモニタ画像から合成画像を表示することが決定され、ディスプレイ１１４に表示される画像が大画面表示２８から通常画面表示２１に切り替わる。室内にいる利用者は、通常画面表示２１に切り替わったときにエントランス解錠ボタン２５を押下し、入り口の鍵を解錠する。
【００３３】
以上説明したように、本発明の第１の実施の形態のインターホン装置は、来訪者からの呼び出し中または来訪者との通話中に、合成画像からモニタ画像をディスプレイの画面全体に切替えて表示するため、画面の視認性を良好にすることができる。また、通信開始信号の応答後、若しくは通信終了後に画面をモニタ画像から合成画像に戻して１のディスプレイに表示するため、画面を効率的に利用することができる。
【００３４】
（第２の実施の形態）
図３は、本発明の第２の実施の形態のインターホン装置のブロック構成を示す図である。本発明の第２の実施の形態のインターホン装置２００は、戸外の画像などを表示し、入り口の鍵を解錠する室内親機２１０及び戸外の来訪者の画像を撮像する子機である玄関器１２０によって構成される。なお、インターホン装置２００は、マンションなどの集合住宅に用いてもよい。
また、室内親機２１０は、モニタ画像を受信し所定の信号を通信する通信手段１１１、合成画像またはモニタ画像を表示することを決定する表示画像決定手段２１２、合成画像を生成する画像合成手段１１３、画像を１の画面に表示するディスプレイ１１４、玄関器１２０との通話を制御する通話制御手段１１５、及び合成画像を表示するための画像切替え信号を外部から受信する画像切替信号受信手段２１６によって構成される。また、火災感知などを制御するセンサ制御手段１３１及びセンサが発報した場合に警報音を制御する警報制御手段１３２を含めて構成してもよい。室内親機２１０は、住宅の室内やマンションの管理室などに設置される。
なお、本発明の第２の実施の形態のインターホン装置２００を構成する手段のうち、本発明の第１の実施の形態のインターホン装置１００を構成する手段と同様の処理を行うものには同一の符号を付し、それぞれの説明を省略する。
【００３５】
表示画像決定手段２１２は、通信手段１１１によって出力された通信開始信号が入力された場合には、モニタ画像を表示することを決定するようになっている。
【００３６】
また、表示画像決定手段２１２には、通信手段１１１によって出力されたモニタ画像が入力され、表示画像決定手段２１２は、モニタ画像を表示することを決定した場合には、入力されたモニタ画像をディスプレイ１１４に出力するようになっている。
【００３７】
また、表示画像決定手段２１２には、画像切替信号受信手段２１６によって出力された合成画像を表示するための画像切替え信号が入力され、表示画像決定手段２１２は、合成画像を表示するための画像切替え信号を受信した場合、合成画像を表示することを決定する。表示画像決定手段２１２は、合成画像を表示することを決定した場合には、入力されたモニタ画像を画像合成手段１１３に出力するようになっている。
【００３８】
画像切替信号受信手段２１６は、利用者がボタン、スイッチ等を操作することに応じて合成画像を表示するための画像切替え信号を受信し、受信された画像切替え信号を表示画像決定手段２１２に出力するようになっている。
【００３９】
以下、インターホン装置２００の動作を説明する。
まず、通信開始信号が室内親機２１０に受信された場合には、表示画像決定手段２１２によって合成画像からモニタ画像を表示することが決定され、ディスプレイ１１４に表示される画像が図２で示したように通常画面表示２１から大画面表示２８に切り替わる。室内にいる利用者は、来訪者からの呼び出し中に大画面表示２８で来訪者を確認することができる。
【００４０】
次に、利用者がボタン、スイッチ等を操作することに応じて、画像切替え信号が室内親機２１０に受信された場合には、表示画像決定手段２１２によってモニタ画像から合成画像を表示することが決定され、ディスプレイ１１４に表示される画像が図２で示したように大画面表示２８から通常画面表示２１に切り替わる。室内にいる利用者は、通常画面表示２１に切り替わったときにエントランス解錠ボタン２５を押下し、入り口の鍵を解錠する。
【００４１】
以上説明したように、本発明の第２の実施の形態のインターホン装置は、利用者の操作に応じて画面をモニタ画像から合成画像に戻してディスプレイに表示するため、操作の利便性を高めることができる。
【００４２】
（第３の実施の形態）
図４は、本発明の第３の実施の形態のインターホン装置のブロック構成を示す図である。本発明の第３の実施の形態のインターホン装置３００は、戸外の画像などを表示し、入り口の鍵を解錠する室内親機３１０及び戸外の来訪者の画像を撮像する子機である玄関器１２０によって構成される。なお、インターホン装置３００は、マンションなどの集合住宅に用いてもよい。
また、室内親機３１０は、モニタ画像を受信し所定の信号を通信する通信手段１１１、合成画像またはモニタ画像を表示することを決定する表示画像決定手段３１２、合成画像を生成する画像合成手段１１３、画像を１の画面に表示するディスプレイ１１４、玄関器１２０との通話を制御する通話制御手段１１５、時間を計測する時間計測手段３１７、時間の情報を記憶する記憶手段３１８、及び時間の情報を外部の装置から入力とする切替時間入力手段３１９によって構成される。また、火災感知などを制御するセンサ制御手段１３１及びセンサが発報した場合に警報音を制御する警報制御手段１３２を含めて構成してもよい。室内親機３１０は、住宅の室内やマンションの管理室などに設置される。
なお、本発明の第３の実施の形態のインターホン装置３００を構成する手段のうち、本発明の第１の実施の形態のインターホン装置１００を構成する手段と同様の処理を行うものには同一の符号を付し、それぞれの説明を省略する。
【００４３】
表示画像決定手段３１２は、通信手段１１１によって出力された通信開始信号が入力された場合には、通信開始信号を時間計測手段３１７に送信し、モニタ画像を表示することを決定するようになっている。
【００４４】
また、表示画像決定手段３１２には、通信手段１１１によって出力されたモニタ画像が入力され、表示画像決定手段３１２は、モニタ画像を表示することを決定した場合には、入力されたモニタ画像をディスプレイ１１４に出力するようになっている。
【００４５】
また、表示画像決定手段３１２には、時間計測手段３１７によって出力された合成画像を表示するための画像切替え信号が入力され、表示画像決定手段３１２は、合成画像を表示するための画像切替え信号を受信した場合、合成画像を表示することを決定するようになっている。表示画像決定手段１１２は、合成画像を表示することを決定した場合には、入力されたモニタ画像を画像合成手段１１３に出力するようになっている。
【００４６】
時間計測手段３１７は、通信開始信号を受信した時点から所定時間である切替時間を計測するようになっている。
【００４７】
また、時間計測手段３１７には、記憶手段３１８によって出力された切替時間の情報が入力されるようになっている。時間計測手段３１７は、表示画像決定手段３１２によって送信された通信開始信号が受信された時点からの切替時間を計測し、計測した切替時間が満了したときは、合成画像を表示するための画像切替え信号を表示画像決定手段３１２に出力するようになっている。
【００４８】
また、時間計測手段３１７は、切替時間を「０」などのデフォルト値とし、切替時間がデフォルト値になっていたときに、画像切替え信号を出力しないことによって、ディスプレイ１１４に表示されるモニタ画像を切替えずにそのまま維持するようになってもよい。利用者は、切替時間のデフォルト値を入力することで、合成画像を表示するか否か選択するようしてもよい。
【００４９】
記憶手段３１８には、切替時間入力手段３１９によって出力された切替時間の情報が入力され、記憶手段３１８は、入力された切替時間の情報を記憶し、記憶された切替時間の情報を時間計測手段３１７に出力するようになっている。また、記憶手段３１８は、予め記憶されている切替時間の情報を時間計測手段３１７に出力するようになってもよい。
【００５０】
切替時間入力手段３１９は、キーボード等の入力装置によって入力された切替時間の情報を記憶手段３１８に出力するようになっている。
【００５１】
以下、インターホン装置３００の動作を説明する。
まず、通信開始信号が室内親機３１０に受信された場合には、表示画像決定手段３１２によって合成画像からモニタ画像を表示することが決定され、ディスプレイ１１４に表示される画像が図２で示したように通常画面表示２１から大画面表示２８に切り替わる。室内にいる利用者は、来訪者からの呼び出し中に大画面表示２８で来訪者を確認することができる。
【００５２】
次に、通信開始信号が受信された時点からの切替時間が時間計測手段３１７によって計測され、計測された切替時間が満了したときは、表示画像決定手段３１２によってモニタ画像から合成画像を表示することが決定され、ディスプレイ１１４に表示される画像が図２で示したように大画面表示２８から通常画面表示２１に切り替わる。
【００５３】
以上説明したように、本発明の第３の実施の形態のインターホン装置は、通信開始信号の受信時となる、室内にいる利用者が呼び出しに応じなくても、画面をモニタ画像から合成画像に戻してディスプレイに表示するため、利便性を高めることができる。例えば、利用者が不在しているときに有効である。また、手動の操作で切替時間が調整されるため、利便性をさらに高めることができる。
【００５４】
【発明の効果】
以上説明したように、本発明は、来訪者からの呼び出し中または来訪者との通話中に、合成画像からモニタ画像をディスプレイの画面全体に切替えて表示するため、画面の視認性を良好にすることができるインターホン装置を提供することができるものである。
【図面の簡単な説明】
【図１】本発明の第１の実施の形態のインターホン装置のブロック構成を示す図
【図２】本発明の第１の実施の形態のインターホン装置の表示画面を示す図
【図３】本発明の第２の実施の形態のインターホン装置のブロック構成を示す図
【図４】本発明の第３の実施の形態のインターホン装置のブロック構成を示す図
【図５】従来のインターホン装置の表示画面を示す図
【符号の説明】
２１　通常画面表示
２２　画像表示領域
２３　非表示領域
２４　大画面表示ボタン
２５　エントランス解錠ボタン
２６　受話音量ボタン
２７　受話音量切替ボタン
２８　大画面表示
１００、２００、３００　インターホン装置
１１０、２１０、３１０　室内親機
１１１　通信手段
１１２、２１２、３１２　表示画像決定手段
１１３　画像合成手段
１１４　ディスプレイ
１１５　通話制御手段
１３１　センサ制御手段
１３２　警報制御手段
１２０　玄関器
１２１　カメラ
１２２　通話子機
２１６　画像切替信号受信手段
３１７　時間計測手段
３１８　記憶手段
３１９　切替時間入力手段
【図１】
2004064685.tif 000003
【図２】
2004064685.tif 000004
【図３】
2004064685.tif 000005
【図４】
2004064685.tif 000006
【図５】
2004064685.tif 000007